(57)【要約】【課題】  熱気を冷して内部部品の性能低下を防ぐこと。【解決手段】  プロジェクタのケーシング１内の前部にランプモジュール３とファン４付き光学エンジン５とが配置され、一端開口部１５ａにファン１６を接続し他端開口部１５ｂを開放したメインダクト１５と、該メインダクト１５の他端開口部１５ｂの近傍から側方に延びるサブダクト１７とを有し、ケーシング１の一側面１ｂに吸気口９が形成されると共に、ケーシング１の他側面１ｄに形成した排気口８にメインダクト１５のファン１６が接続され、ブロワ１８をランプモジュール３の前面の通気口３ａに接続し、そのランプモジュール３の後面の通気口３ｂにサブダクト１７が接続されており、ランプモジュール３から発せられた熱気がサブダクト１７及びメインダクト１５を介して排気口８からケーシング１外に排出される。【選択図】        図２
2006171165.tif 000002
【特許請求の範囲】
【請求項１】
プロジェクタのケーシング内の前部にファン付きランプモジュールとファン付き光学エ
ンジンとが配置されると共に、該ケーシング内の後部にコントローラボードと電源ボード
とが配置され、前記ケーシングの前面に排気口が形成されると共に、該ケーシングの一側
面に吸気口が形成されており、前記ランプモジュ−ルから光学エンジンに光線を投射し、
該光学エンジンの投影レンズによりスクリーンに映像を投影し、各ファンを駆動して吸気
口からケーシング内に空気を吸引し排気口から排気することによりランプモジュ−ル及び
光学エンジンを冷却するようにした空冷装置であって、一端開口部にファンを接続し他端
開口部を開放したメインダクトと、該メインダクトの他端開口部近傍から側方に延びるサ
ブダクトとを有し、前記ケーシングの前面に形成した排気口を廃止しそれに代えて該ケー
シングの他側面に形成した排気口に前記メインダクトのファンが接続され、前記ランプモ
ジュ−ルのファンに代えてブロワが用いられ、該ブロワをランプモジュ−ルの前面の通気
口に接続し、そのランプモジュ−ルの後面の通気口に前記サブダクトが接続され、該サブ
ダクト及びメインダクトの適所に通気孔が貫設され、そのメインダクトの他端開口部に対
向して電源ボードが配置されていることを特徴とする空冷装置。
【請求項２】
排気口と吸気口とを適所に形成したケーシング内にファンと熱発生源とが配置されてお
り、ファンを駆動して吸気口からケーシング内に空気を吸引し排気口から排気することに
より熱発生源を冷却するようにした空冷装置であって、一端開口部にファンを接続し他端
開口部を開放したメインダクトと、該メインダクトの他端開口部近傍から側方に延びるサ
ブダクトとを有しており、前記排気口に前記メインダクトのファンが接続され、熱発生源
に前記サブダクトが接続されていることを特徴とする空冷装置。
【請求項３】
前記排気口がケーシングの他側面に形成され、サブダクト及びメインダクトの適所に通
気孔が貫設され、そのメインダクトの他端開口部に対向して電源ボードが配置されている
ことを特徴とする請求項２に記載の空冷装置。
【請求項４】
プロジェクタのケーシング内の前部にファン付きランプモジュールとファン付き光学エ
ンジンとが配置されると共に、該ケーシング内の後部にコントローラボードと電源ボード
とが配置され、前記ケーシングの前面に排気口が形成されると共に、該ケーシングの一側
面に吸気口が形成されており、前記ランプモジュ−ルから光学エンジンに光線を投射し、
該光学エンジンの投影レンズによりスクリーンに映像を投影し、各ファンを駆動して吸気
口からケーシング内に空気を吸引し排気口から排気することによりランプモジュ−ル及び
光学エンジンを冷却するようにした空冷装置であって、一端開口部を開放し他端開口部に
ファンを接続したメインダクトと、該メインダクトの他端開口部近傍から側方に延びるサ
ブダクトとを有し、前記メインダクト内の一端開口部近傍を仕切る仕切板が設けられると
共に、該仕切板の中央に所定径の流通口が貫設され、該流通口とサブダクトをつなぐ通路
を蛇行させるための邪魔板がメインダクト内の仕切板とサブダクトとの間に設けられ、前
記ケーシングの前面に形成した排気口を廃止しそれに代えて該ケーシングの他側面に形成
した排気口に前記メインダクトの一端開口部が接続され、前記ランプモジュ−ルのファン
に代えてブロワが用いられ、該ブロワをランプモジュ−ルの前面の通気口に接続し、その
ランプモジュ−ルの後面の通気口に前記サブダクトが接続され、メインダクトのファンに
対向して電源ボードが配置されていることを特徴とする空冷装置。
【請求項５】
排気口と吸気口とを適所に形成したケーシング内にファンと熱発生源とが配置されてお
り、ファンを駆動して吸気口からケーシング内に空気を吸引し排気口から排気することに
より熱発生源を冷却するようにした空冷装置であって、一端開口部を開放し他端開口部に
ファンを接続したメインダクトと、該メインダクトの他端開口部近傍から側方に延びるサ
ブダクトとを有しており、前記排気口に前記メインダクトの一端開口部が接続され、熱発
生源に前記サブダクトが接続されていることを特徴とする空冷装置。
【請求項６】
前記排気口がケーシングの他側面に形成され、メインダクト内の一端開口部近傍を仕切
る仕切板が設けられると共に、該仕切板の中央に所定径の流通口が貫設され、該流通口と
サブダクトをつなぐ通路を蛇行させるための邪魔板がメインダクト内の仕切板とサブダク
トとの間に設けられ、メインダクトのファンに対向して電源ボードが配置されていること
を特徴とする請求項５に記載の空冷装置。
【発明の詳細な説明】
【技術分野】
【０００１】
本発明は、例えばテレビ映像をスクリーンに映写するプロジェクタを空冷するための空
冷装置に関する。
【背景技術】
【０００２】
従来、空冷装置の技術として特許文献１に記載したものがあり、その空冷装置を用いた
プロジェクタの一例として図６及び図７に示すものがある。これは、ケーシング１内の前
部にファン２付きランプモジュール（熱発生源）３とファン４付き光学エンジン５とが配
置されると共に、該ケーシング１内の後部にコントローラボード６と電源ボード７とが配
置され、前記ケーシング１の前面１ａに排気口８が形成されると共に、該ケーシング１の
一側面１ｂ及び後面１ｃに吸気口９が形成されたものである。なお、１０はランプモジュ
ール３の光源、１１はリフレクタ、１２は光学エンジン５の後端面に突設した放熱フィン
である。
【０００３】
上記構成において、ランプモジュール３から光学エンジン５に光線を投射し、該光学エ
ンジン５の投影レンズ５ａによりスクリーン１３に映像を投影し、各ファン２，４を駆動
して吸気口９からケーシング１内に空気を吸引し排気口８から排気することによりランプ
モジュール３及び光学エンジン５を冷却する。
【特許文献１】特開２００４−１５２０４４
【発明の開示】
【発明が解決しようとする課題】
【０００４】
上記従来の構成では、ランプモジュール３から発せられた例えば８０°Ｃの熱気が排気
口８を通ってケーシング１の前方に排出されるため、その熱気による陽炎によりスクリー
ン１３に投影された映像が揺らいて不鮮明になったり、熱気がケーシング１の前を通るユ
ーザの身体に直接的に当たって、不快感を与える。
【０００５】
そこで、排気口８をケーシング１の他側面１ｄに形成し、ファン２，４を逆向きに駆動
して、排気口８からケーシング１の側方に熱気を排出することが考えられるが、これでは
、熱気によりケーシング１内が高温雰囲気になってコントローラボード６や電源ボード７
などの内部部品の性能が低下する。
【０００６】
本発明は、上記従来の欠点に鑑み、熱気を冷して内部部品の性能低下を防ぐことができ
るようにした空冷装置を提供することを目的としている。
【課題を解決するための手段】
【０００７】
上記目的を達成するため、請求項１に記載の発明は、プロジェクタのケーシング内の前
部にファン付きランプモジュールとファン付き光学エンジンとが配置されると共に、該ケ
ーシング内の後部にコントローラボードと電源ボードとが配置され、前記ケーシングの前
面に排気口が形成されると共に、該ケーシングの一側面に吸気口が形成されており、前記
ランプモジュ−ルから光学エンジンに光線を投射し、該光学エンジンの投影レンズにより
スクリーンに映像を投影し、各ファンを駆動して吸気口からケーシング内に空気を吸引し
排気口から排気することによりランプモジュ−ル及び光学エンジンを冷却するようにした
空冷装置であって、一端開口部にファンを接続し他端開口部を開放したメインダクトと、
該メインダクトの他端開口部近傍から側方に延びるサブダクトとを有し、前記ケーシング
の前面に形成した排気口を廃止しそれに代えて該ケーシングの他側面に形成した排気口に
前記メインダクトのファンが接続され、前記ランプモジュ−ルのファンに代えてブロワが
用いられ、該ブロワをランプモジュ−ルの前面の通気口に接続し、そのランプモジュ−ル
の後面の通気口に前記サブダクトが接続され、該サブダクト及びメインダクトの適所に通
気孔が貫設され、そのメインダクトの他端開口部に対向して電源ボードが配置されている
ことを特徴としている。
【０００８】
請求項２記載の発明は、排気口と吸気口とを適所に形成したケーシング内にファンと熱
発生源とが配置されており、ファンを駆動して吸気口からケーシング内に空気を吸引し排
気口から排気することにより熱発生源を冷却するようにした空冷装置であって、一端開口
部にファンを接続し他端開口部を開放したメインダクトと、該メインダクトの他端開口部
近傍から側方に延びるサブダクトとを有しており、前記排気口に前記メインダクトのファ
ンが接続され、熱発生源に前記サブダクトが接続されていることを特徴とする空冷装置。
【０００９】
請求項３に記載の発明は、請求項２に記載の発明において、前記排気口がケーシングの
他側面に形成され、サブダクト及びメインダクトの適所に通気孔が貫設され、そのメイン
ダクトの他端開口部に対向して電源ボードが配置されていることを特徴としている。
【００１０】
請求項４に記載の発明は、プロジェクタのケーシング内の前部にファン付きランプモジ
ュールとファン付き光学エンジンとが配置されると共に、該ケーシング内の後部にコント
ローラボードと電源ボードとが配置され、前記ケーシングの前面に排気口が形成されると
共に、該ケーシングの一側面に吸気口が形成されており、前記ランプモジュ−ルから光学
エンジンに光線を投射し、該光学エンジンの投影レンズによりスクリーンに映像を投影し
、各ファンを駆動して吸気口からケーシング内に空気を吸引し排気口から排気することに
よりランプモジュ−ル及び光学エンジンを冷却するようにした空冷装置であって、一端開
口部を開放し他端開口部にファンを接続したメインダクトと、該メインダクトの他端開口
部近傍から側方に延びるサブダクトとを有し、前記メインダクト内の一端開口部近傍を仕
切る仕切板が設けられると共に、該仕切板の中央に所定径の流通口が貫設され、該流通口
とサブダクトをつなぐ通路を蛇行させるための邪魔板がメインダクト内の仕切板とサブダ
クトとの間に設けられ、前記ケーシングの前面に形成した排気口を廃止しそれに代えて該
ケーシングの他側面に形成した排気口に前記メインダクトの一端開口部が接続され、前記
ランプモジュ−ルのファンに代えてブロワが用いられ、該ブロワをランプモジュ−ルの前
面の通気口に接続し、そのランプモジュ−ルの後面の通気口に前記サブダクトが接続され
、メインダクトのファンに対向して電源ボードが配置されていることを特徴としている。
【００１１】
請求項５記載の発明は、排気口と吸気口とを適所に形成したケーシング内にファンと熱
発生源とが配置されており、ファンを駆動して吸気口からケーシング内に空気を吸引し排
気口から排気することにより熱発生源を冷却するようにした空冷装置であって、一端開口
部を開放し他端開口部にファンを接続したメインダクトと、該メインダクトの他端開口部
近傍から側方に延びるサブダクトとを有しており、前記排気口に前記メインダクトの一端
開口部が接続され、熱発生源に前記サブダクトが接続されていることを特徴としている。
【００１２】
請求項６に記載の発明は、請求項５に記載の発明において、前記排気口がケーシングの
他側面に形成され、メインダクト内の一端開口部近傍を仕切る仕切板が設けられると共に
、該仕切板の中央に所定径の流通口が貫設され、該流通口とサブダクトをつなぐ通路を蛇
行させるための邪魔板がメインダクト内の仕切板とサブダクトとの間に設けられ、メイン
ダクトのファンに対向して電源ボードが配置されていることを特徴としている。
【発明の効果】
【００１３】
請求項１に記載の発明は第１の実施の形態（図１〜図３参照）に対応するものであって
、これによれば、メインダクトのファンを駆動することにより、ランプモジュールから発
せられた熱気がサブダクト及びメインダクトを介して排気口からケーシング外に排出され
るので、該ケーシング内の雰囲気温度があまり上昇せず、従来のように熱気によりケーシ
ング内が高温雰囲気になって内部部品の性能が低下するという難点を解消することができ
る。
【００１４】
また、排気口がケーシングの他側面に形成されているから、従来のようにケーシングの
前方に排出した熱気による陽炎でスクリーンに投影された映像が揺らぐことが無くなり、
鮮明な映像をスクリーンに投影することができる。
【００１５】
更に、メインダクトの他端開口部から入った冷気とサブダクトから入った熱気とがメイ
ンダクト内で混合されて、その熱気が冷やされるから、その冷やされた熱気が排気口を通
ってユーザの身体に優しく当たることになり、従来の高温状態の熱気が身体に当たること
による不快感を解消することができる。
【００１６】
しかも、サブダクト及びメインダクトの通気孔を介してケーシング内の空気を広範囲に
吸って排気するから、該ケーシング内の温度上昇を抑えて内部部品の性能低下を一層確実
に防ぐことができ、特に、メインダクトの他端開口部に吸い込まれる冷気により電源ボー
ドを効率良く冷却することができる。
【００１７】
請求項２に記載の発明は第１の実施の形態（図１〜図３参照）の基本形態に相当するも
のであって、メインダクトのファンを駆動することにより、熱発生源から発せられた熱気
がサブダクト及びメインダクトを介して排気口からケーシング外に排出されるので、該ケ
ーシング内の雰囲気温度があまり上昇せず、従来のように熱気によりケーシング内が高温
雰囲気になって内部部品の性能が低下するという難点を解消することができる。
【００１８】
また、メインダクトの他端開口部から入った冷気とサブダクトから入った熱気とがメイ
ンダクト内で混合されて、その熱気が冷やされるから、その冷やされた熱気が排気口を通
ってユーザの身体に優しく当たることになり、従来の高温状態の熱気が身体に当たること
による不快感を解消することができる。
【００１９】
請求項３に記載の発明によれば、サブダクト及びメインダクトの通気孔を介してケーシ
ング内の空気を広範囲に吸って排気するから、該ケーシング内の温度上昇を抑えて内部部
品の性能低下を一層確実に防ぐことができ、特に、メインダクトの他端開口部に吸い込ま
れる冷気により電源ボードを効率良く冷却することができる。
【００２０】
また、排気口がケーシングの他側面に形成されているから、従来のようにケーシングの
前方に排出した熱気による陽炎でスクリーンに投影された映像が揺らぐことが無くなり、
鮮明な映像をスクリーンに投影することができる。
【００２１】
請求項４に記載の発明は第２の実施の形態（図４及び図５参照）に対応するものであっ
て、これによれば、請求項１に記載の発明とほぼ同様の効果を得ることができ、特に、メ
インダクトのファンにより該メインダクト内に冷気を積極的に押し込んで、その冷気とサ
ブダクトから入った熱気とがメインダクト内の蛇行状通路を通過する間に確実に混合され
るから、その熱気を一層効率良く冷やすことができる。また、メインダクトのファンによ
り該メインダクト内に吸い込まれる冷気により電源ボードを効率良く冷却することができ
ると共に、仕切板の流通口の口径を適宜設定するだけで、排気速度を調整することができ
る。
【００２２】
請求項５に記載の発明は第２の実施の形態（図４及び図５参照）の基本形態に相当する
ものであって、これによれば、請求項２に記載の発明とほぼ同様の効果を得ることができ
、特に、メインダクトのファンにより該メインダクト内に冷気を積極的に押し込むから、
その冷気を熱気に確実に混合させて、その熱気を一層効率良く冷やすことができる。
【００２３】
請求項６記載の発明によれば、請求項３に記載の発明と同様の効果を得ることができ、
特に、メインダクトのファンにより該メインダクト内に押し込まれた冷気とサブダクトか
ら入った熱気とがそのメインダクト内の蛇行状通路を通過する間に確実に混合されるから
、その熱気を一層効率良く冷却することができる。また、メインダクトのファンにより該
メインダクト内に吸い込まれる冷気により電源ボードを効率良く冷却することができると
共に、仕切板の流通口の口径を適宜設定するだけで、排気速度を調整することができる。
【発明を実施するための最良の形態】
【００２４】
図１〜図３は本発明の第１の実施の形態である空冷装置を備えたプロジェクタを示すも
のであって、一端開口部１５ａにファン１６を接続し他端開口部１ｂを開放した円筒状メ
インダクト１５と、該メインダクト１５の他端開口部１５ｂの近傍から側方に延びる円筒
状サブダクト１７とを有し、ケーシング１の前面１ａに形成した排気口８（図６参照）を
廃止しそれに代えて該ケーシング１の他側面１ｄに排気口８が形成され、該排気口８にメ
インダクト１５のファン１６が接続され、ランプモジュール（熱発生源）３のファン２（
図７参照）に代えてブロワ１８が用いられている。上記以外の構成は図６及び図７に示す
構成とほぼ同じであるから、同一部分に同一符号を付してその説明を省略する。
【００２５】
前記ブロワ１８は、図２に示すようにランプモジュール３の前面に配置され、該ブロワ
１８の吸気口１８ａがケーシング１の他側面１ｄに向けて横向きにされると共に、そのブ
ロワ１８の供給口１８ｂがランプモジュール３の前面に形成した通気口３ａに接続され、
該ランプモジュール３の後面の通気口３ｂにサブダクト１７が接続されている。
【００２６】
空冷手順を説明すると、各ファン４，１６及びブロワ１８を駆動することにより、ケー
シング１の一側面１ｂに形成した吸気口９から該ケーシング１内に空気を吸引し、ファン
４により光学エンジン５を冷却すると共に、ブロワ１８によりランプモジュール３内に空
気を送り込んで冷却し、該ランプモジュール３により発せられた熱気がサブダクト１７を
介してメインダクト１５に送られると共に、該メインダクト１５の他端開口部１５ｂから
そのメインダクト１５内に冷気が吸引され、その冷気により熱気が冷やされてファン１６
によりケーシング１外に排出される。
【００２７】
上記構成によれば、ランプモジュール３から発せられた熱気がサブダクト１７及びメイ
ンダクト１５を介して排気口８からケーシング１外に排出されるので、該ケーシング１内
の雰囲気温度があまり上昇せず、従来のように熱気によりケーシング１内が高温雰囲気に
なって内部部品の性能が低下するという難点を解消することができる。
【００２８】
また、排気口８がケーシング１の他側面１ｄに形成されているから、従来のようにケー
シング１の前方に排出した熱気による陽炎でスクリーン１３に投影された映像が揺らぐこ
とが無くなり、鮮明な映像をスクリーン１３に投影することができる。
【００２９】
更に、メインダクト１５の他端開口部１５ｂから入った冷気とサブダクト１７から入っ
た熱気とがメインダクト１５内で混合されて、その熱気が冷やされるから、その冷やされ
た熱気が排気口８を通ってユーザの身体に優しく当たることになり、従来の高温状態の熱
気が身体に当たることによる不快感を解消することができる。
【００３０】
図３に示すように、サブダクト１７及びメインダクト１５の適所に通気孔１９が貫設さ
れており、その各通気孔１９を介してケーシング１内の空気を広範囲に吸って排気するか
ら、該ケーシング１内の温度上昇を抑えてコントローラボード６や内部部品の性能低下を
一層確実に防ぐことができる。
【００３１】
図２に示すように、メインダクト１５の他端開口部１５ｂに対向して電源ボード７が配
置されているから、その他端開口部１５ｂに吸い込まれる冷気により電源ボード７を効率
良く冷却することができる。
【００３２】
図４及び図５は本発明の第２の実施の形態である空冷装置を備えたプロジェクタを示す
ものであって、一端開口部１５ａを開放し他端開口部１５ｂにファン１６を接続した角筒
状メインダクト１５と、該メインダクト１５の他端開口部１５ｂの近傍から側方に延びる
円筒状サブダクトとを有し、メインダクト１５内の一端開口部１５ａの近傍を仕切る仕切
板２１が設けられると共に、該仕切板２１の中央に所定径ｄの流通口２２が貫設され、該
流通口２２とサブダクト１７をつなぐ通路を蛇行させるための邪魔板２３がメインダクト
１５内の仕切板２１とサブダクト１７との間に設けられ、メインダクト１５のファン１６
に対向して電源ボード７が配置されている。上記以外の構成は第１の実施の形態（図１〜
図３参照）に記載した構成とほぼ同じであるから、同一部分に同一符号を付してその説明
を省略する。
【００３３】
上記構成によれば、第１の実施の形態（図１〜図３参照）とほぼ同様の効果を得ること
ができ、特に、メインダクト１５のファン１６により該メインダクト１５内に冷気を積極
的に押し込んで、その冷気とサブダクト１７から入った熱気とがメインダクト１５内の蛇
行状通路を通過する間に確実に混合されるから、その熱気を一層効率良く冷やすことがで
きる。
【００３４】
図４に示すように、メインダクト１５のファン１６に対向して電源ボード７が配置され
ているから、該ファン１６によりメインダクト１５内に吸い込まれる冷気により電源ボー
ド７を効率良く冷却することができ、図５（ｄ）に示すように、仕切板２１の流通口２２
の口径ｄを適宜設定するだけで、排気速度を調整することができる。
【産業上の利用可能性】
【００３５】
上記の実施の形態では、プロジェクタに使用する空冷装置を例にあげて説明したが、こ
れに限定されるわけではなく、各種電子機器の熱発生源を冷却するためにも適用すること
ができる。
【図面の簡単な説明】
【００３６】
【図１】本発明の第１の実施の形態である空冷装置を備えたプロジェクタを示す斜視図である。
【図２】同水平断面図である。
【図３】（ａ）は同要部の斜視図、（ｂ）は同要部の縦断面図、（ｃ）はＡ−Ａ矢視図、（ｄ）はＢ−Ｂ矢視図である。
【図４】本発明の第２の実施の形態である空冷装置を備えたプロジェクタを示す水平断面図である。
【図５】（ａ）は同要部の斜視図、（ｂ）は同要部の縦断面図、（ｃ）はＣ−Ｃ矢視図、（ｄ）はＤ−Ｄ矢視図である。
【図６】従来例を示す斜視図である。
【図７】同水平断面図である。
【符号の説明】
【００３７】
１          ケーシング
２，４      ファン
３          ランプモジュール（熱発生源）
５          光学エンジン
６          コントローラボード
７          電源ボード
８          排気口
９          吸気口
１５        メインダクト
１６        ファン
１７        サブダクト
１８        ブロワ
１９        通気孔
２１        仕切板
２２        流通口
２３        邪魔板
【図１】
2006171165.tif 000003
【図２】
2006171165.tif 000004
【図３】
2006171165.tif 000005
【図４】
2006171165.tif 000006
【図５】
2006171165.tif 000007
【図６】
2006171165.tif 000008
【図７】
2006171165.tif 000009